(57)【要約】      （修正有）【課題】暗所でも存在感のあるお守りを提供する。【解決手段】護符を内包する紙製のお守りであって、外面に蓄光材が塗布されている。護符を内包する本体部１１と、本体部の少なくとも一部を覆う袴巻１２とを有し、本体部と袴巻とは、異なる色の蓄光材が塗布されている。また、お守りは透明の包装体１４に内包されている。【選択図】図１
0003230939.tif 000002
【実用新案登録請求の範囲】
【請求項１】
護符を内包するお守りであって、蓄光材が塗布されている、お守り。
【請求項２】
請求項１に記載されたお守りであって、
護符を内包する本体部と、前記本体部の少なくとも一部を覆う袴巻とを有し、前記本体部と前記袴巻とは、異なる色の蓄光材が塗布されている、お守り。
【請求項３】
請求項１又は２に記載されたお守りであって、
透明の包装体に内包されている、お守り。
【考案の詳細な説明】
【技術分野】
【０００１】
本考案は、お守りに関する。
【背景技術】
【０００２】
お守りは、一般的に身に着けて持ち歩くことが望ましいとされる。
【０００３】
特許文献１には、お守りに関する技術が開示されている。同文献の段落〔００１８〕には、「図１〜図３に示すお守りを構成する織物は、太陽光線等が当たるとその光エネルギーを吸収し、暗闇の中において、そのエネルギー活性化させて発光する蓄光糸を使用して織ったものである。ここでは、蓄光糸を織物の縦糸や緯糸、あるいは縦糸と緯糸の双方に用いて織物を織り、また、蓄光糸を使用して、織物表面（つまり、お守りの表面あるいは裏面）に図柄や模様、あるいは文字（例えば、お守りの内容表示部や寺社名の寺社名表示部等）を単独で表出させたり、あるいは複合した状態で表出して織り上げる。」と記載されている。
【先行技術文献】
【特許文献】
【０００４】
【特許文献１】特開２００７−６８６１４号公報
【考案の概要】
【考案が解決しようとする課題】
【０００５】
紙製のお守りが普及しているが、身に着けて外出することが想定されるお守りについて、従来にない機能が期待される。
【０００６】
本考案は、上記の点に鑑みてなされたものであって、暗所でも存在感のあるお守りの提供を目的とする。
【課題を解決するための手段】
【０００７】
本願は、上記課題の少なくとも一部を解決する手段を複数含んでいるが、その例を挙げるならば、以下の通りである。
【０００８】
上記課題を解決するため、本考案の一態様に係るお守りは、護符を内包するお守りであって、蓄光材が塗布されている。
【０００９】
前記お守りは、護符を内包する本体部と、前記本体部の少なくとも一部を覆う袴巻とを有し、前記本体部と前記袴巻とは、異なる色の蓄光材が塗布されていてもよい。
【００１０】
前記お守りは、透明の包装体に内包されていてもよい。
【考案の効果】
【００１１】
本考案によれば、暗所でも存在感のあるお守りを提供することができる。
【００１２】
上記した以外の課題、構成、及び効果は、以下の実施形態の説明により明らかにされる。
【図面の簡単な説明】
【００１３】
【図１】お守りの外観の一例を示す図である。
【考案を実施するための形態】
【００１４】
以下、図面に基づいて本考案の実施形態の例を説明する。
【００１５】
図１は、お守り１の外観の一例を示す図である。お守り１は、本体部１１と、袴巻１２と、帯部１３と、包装体１４と、紐１５とを有する。お守り１は、護符を内包しており、蓄光材が塗布されている。
【００１６】
本体部１１は、例えば紙製であって、護符を内包している。本体部１１は、シート状に形成した樹脂等であってもよい。護符は、内府ともいい、紙、木、又は布等で形成される。本体部１１には、蓄光材（蓄光顔料ともいう）が塗布されている。一例として、本体部１１には、蓄光材を含有する印刷インクにより、本体部１１の全体が蓄光及び発光するよう印刷されている。なお、本体部１１は、表面全体が蓄光材を含む印刷インクにより覆いつくされる状態となるよう印刷されていてもよいし、本体部１１全体に、蓄光材を含む印刷インクにより印刷される地模様が配置されていてもよい。また、本体部１１の一部に、蓄光材を含む印刷インクにより印刷されるモチーフが配置されているものであってもよい。
【００１７】
本体部１１には、例えば文字が記載されている。本体部１１に記載されている文字は、例えばお守り１を発行した自社の名称、又はお守り１の種類等を示す文字等である。
【００１８】
袴巻１２は、紙製であって、本体部１１の少なくとも一部を覆う。例えば袴巻１２は、図１に示すように、本体部１１に記載された文字が見えるよう、本体部１１の中央部分を露出させ、本体部１１の右脇、背面、及び左脇を巻くように覆う。一例として、袴巻１２には、本体部１１と同様に、蓄光材を含有する印刷インクにより、袴巻１２の全体が蓄光するよう印刷されている。
【００１９】
袴巻１２は、表面全体が蓄光材を含む印刷インクにより覆いつくされる状態となるよう印刷されていてもよいし、袴巻１２全体に、蓄光材を含む印刷インクにより印刷される地模様が配置されていてもよいし、袴巻１２の一部に、蓄光材を含む印刷インクにより印刷されるモチーフが配置されているものであってもよい。
【００２０】
本実施形態において、本体部１１と袴巻１２の両方に蓄光材が塗布されている場合、本体部１１に塗布された蓄光材と、袴巻１２に塗布された蓄光材とは、異なる色であってもよい。その結果、本体部１１と袴巻１２とは、暗所において異なる色で発光する。
【００２１】
帯部１３は、本体部１１と袴巻１２の上から巻いて固定する帯状の部材である。帯部１３は例えば紙製である。帯部１３には、例えば本体部１１と同様に、全部又は一部に蓄光材が塗布されていてもよい。その場合、帯部１３に塗布された蓄光材は、本体部１１や袴巻１２に塗布された蓄光材と異なる色であってもよい。なお、本実施形態において、帯部１３は必須ではない。
【００２２】
包装体１４は、帯部１３により固定された本体部１１及び袴巻１２を内包する透明の袋体である。包装体１４は、密閉されていてもよいし、帯部１３で固定された本体部１１及び袴巻１２を取り出すことのできる開口部を有していてもよい。包装体１４により、本体部１１、袴巻１２、又は帯部１３の汚れを防いだり、破損を防いだりすることができる。
【００２３】
紐１５は、お守り１を持ち歩く際に係止するための部材である。紐１５は、例えばカバン等にお守り１を係止するため、先端が閉じた輪の形状となっている。又は、紐１５は、車のガラスなどの平滑性のある部分にお守り１を設置するため、先に吸盤が付いたものであってもよい。紐１５は、例えば蓄光材が塗布又は織り込まれた糸等により形成され、暗所で光るものであってもよい。
【００２４】
本実施形態のお守り１は、バッグ等にぶら下げた状態で、明るい所から暗い所に移動した場合に、エネルギーを放出することにより発光する。お守り１を携帯している者は、発光しているお守り１を見ることにより、暗所でもお守り１の存在を感じることができ、心理的な安心感を得ることができる。また、本体部１１と袴巻１２との発光色が異なれば、携帯している者は興趣性が向上し、明るい気分になる。
【００２５】
また、他者においても、暗所でお守り１を携帯している者を認識することができるため、衝突等の事故を防ぐことができる。暗所でお守り１の存在感を向上させることにより、携帯する者及び他者の双方に利点のあるお守り１を提供することができる。
【００２６】
なお、本実施形態において、お守り１は袴巻１２を有していなくてもよい。蓄光材が塗布され、上述の文字が記載された本体部１１が、包装体１４に内包され、紐１５により携帯可能となっていてもよい。
【００２７】
また例えば、本実施形態における本体部１１は、祝儀袋の短冊のような、文字を記載した札であってもよい。その場合、袴巻１２は、内府を内包する袋体であってもよい。一例として、お守り１は、袴巻１２に本体部１１を重ね、帯部１３により固定され、包装体１４に内包される。この場合、袴巻１２は本体部１１に比べて幅が大きくてもよい。本例においても、本体部１１又は袴巻１２には蓄光材が塗布される。付言すれば、本体部１１及び袴巻１２は異なる色の蓄光材が塗布されていてもよい。
【００２８】
以上、本考案に係る各実施形態及び変形例の説明を行ってきたが、本考案は、上記した実施形態の一例に限定されるものではなく、様々な変形例が含まれる。例えば、上記した実施形態の一例は、本考案を分かり易くするために詳細に説明したものであり、本考案は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【符号の説明】
【００２９】
１：お守り、１１：本体部、１２：袴巻、        １３：帯部、１４：包装体、１５：紐
【図１】
0003230939.tif 000003
【手続補正書】
【提出日】令和2年12月23日(2020.12.23)
【手続補正１】
【補正対象書類名】実用新案登録請求の範囲
【補正対象項目名】全文
【補正方法】変更
【補正の内容】
【実用新案登録請求の範囲】
【請求項１】
文字が記載された本体部と、前記本体部の少なくとも一部を覆う袴巻とを有し、前記本体部と前記袴巻との少なくともいずれか一方に蓄光材が塗布されている、お守り。
【請求項２】
請求項１に記載されたお守りであって、
前記本体部と前記袴巻とは、異なる色の蓄光材が塗布されている、お守り。
【請求項３】
請求項１又は２に記載されたお守りであって、
透明の包装体に内包されている、お守り。
【手続補正２】
【補正対象書類名】明細書
【補正対象項目名】０００８
【補正方法】変更
【補正の内容】
【０００８】
上記課題を解決するため、本考案の一態様に係るお守りは、文字が記載された本体部と、前記本体部の少なくとも一部を覆う袴巻とを有し、前記本体部と前記袴巻との少なくともいずれか一方に蓄光材が塗布されている。
【手続補正３】
【補正対象書類名】明細書
【補正対象項目名】０００９
【補正方法】変更
【補正の内容】
【０００９】
前記本体部と前記袴巻とは、異なる色の蓄光材が塗布されていてもよい。